(57)【要約】【課題】ヒップ下部へのフィット性の向上、ヒップ裾ラインのずり上がり防止の確実性を図ることのできるショーツ等の衣料を提供する。【解決手段】伸縮性を有する前面覆い部分１１及び背面覆い部分１２と、前面覆い部分１１の下端１６と背面覆い部分１２の下端１７との間に配設され股間部を覆う身頃と一体型のまち部１３とを備える。身頃１４は、背面覆い部分１２の後中心線（Ｓ２）に沿って開いた展開状態において、前面覆い部分１１の前中心線Ｓ１に対し、背面覆い部分１２の後中心線Ｓ２がこの後中心線Ｓ２の下方延長線を前中心線Ｓ１の下方延長線に近付ける下方窄まりの状態に設定されている。【選択図】図３
2014034754.tif 000002
【特許請求の範囲】
【請求項１】
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記前面覆い部分（１１）の左右両側に前記背面覆い部分（１２）の左半分および右半分が形成されて、前記背面覆い部分（１２）の左半分の左側縁と前記背面覆い部分（１２）の右半分の右側縁とを縫合することにより筒状に形成されており、
前記身頃（１４）は、前記背面覆い部分（１２）の左右方向中央部を上下方向に通る後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることを特徴とする 、ショーツ等の衣料。
【請求項２】
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する筒状の身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記背面覆い部分（１２）の左右方向中央部を上下方向に通る後中心線（Ｓ２）の箇所のほか、周方向の少なくとも一箇所（Ｓ１，Ｘ１，Ｘ２，Ｙ１，Ｙ２）においてそれぞれ縫合されており、
前記身頃（１４）は、前記背面覆い部分（１２）の後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることを特徴とする 、ショーツ等の衣料。
【請求項３】
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記前面覆い部分（１１）の左右両側に背面覆い部分（１２）が一体に連続して設けられて筒状に形成されており、
前記身頃（１４）は、前記背面覆い部分（１２）の左右方向中央部を上下方向に通る後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることを特徴とする 、ショーツ等の衣料。
【請求項４】
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する筒状の身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記背面覆い部分（１２）の左右方向中央部を上下方向に通る後中心線（Ｓ２）以外の周方向の少なくとも一箇所（Ｓ１，Ｘ１，Ｘ２，Ｙ１，Ｙ２）において縫合されており、
前記身頃（１４）は、前記背面覆い部分（１２）の後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることを特徴とする 、ショーツ等の衣料。
【発明の詳細な説明】
【技術分野】
【０００１】
本発明は、ショーツ、パンツ、水着、レオタード、ブリーフ、メンズタイツ、レディースタイツ等の衣料に係り、より詳しくは、特にヒップ下部の膨らみ体形へのフィット性に優れ、歩行時や屈み姿勢時等においてヒップ裾ラインがずり上がるのを防止し快適な履き心地のショーツ等の衣料に関する。
【背景技術】
【０００２】
従来、この種のショーツ等の衣料においては、体形がウェストよりもヒップが大きいことから、一般的にウェスト周りよりもヒップ周りが大きいパターン（カッティング方法）が採用されている。すなわち、ショーツ等の衣料の展開状態において、例えば、図８〜図１１に示すように、前面覆い部分（前身頃）１の左右方向中央部を上下方向に通る前中心線Ｓ１に対し、背面覆い部分（後身頃）２の左右方向中央部を上下方向に通る後中心線Ｓ２がこの後中心線Ｓ２の下方延長線を前中心線Ｓ１の下方延長線より次第に遠ざける下方広がりの状態になるように設定されている（例えば、特許文献１〜４参照。）。なお、図８〜図１１の各図において、３は前面覆い部分１の下端の内股前部と背面覆い部分２の下端の内股後部との間に配設されるまち部を示す。図８は特許文献１に記載のパンティの前身頃１、後身頃２、及びまち部３の展開平面図を、図９は特許文献２に記載のショーツの前身頃１、後身頃２、及びまち部３の展開平面図を、図１０は特許文献３に記載のショーツの前身頃１、後身頃２、及びまち部３の展開平面図を、図１１は特許文献４に記載のショーツの前身頃１の左右側縁に後身頃の左半分２ａおよび右半分２ｂがそれぞれ一体に形成された身頃の展開平面図をそれぞれ示すものである。
【先行技術文献】
【特許文献】
【０００３】
【特許文献１】特開昭５７−２０５５０１号公報（第１図）
【特許文献２】特開平７−２０７５０２号公報（図３）
【特許文献３】特開２０００−３２５３９６号公報（図１）
【特許文献４】特開平１１−３４７０６７号公報（図３）
【発明の概要】
【発明が解決しようとする課題】
【０００４】
確かに、ヒップ体形においてヒップ頂上部は広いので、ヒップ頂上部と対応するショーツ等の衣料のヒップ頂上部該当部位までは上記のように前面覆い部分（前身頃）１の前中心線Ｓ１に対して背面覆い部分（後身頃）２の後中心線Ｓ２が下方広がりの状態になるように設定されていてもよい。しかしながら、ヒップ体形においてヒップ下部（ヒップ下部の膨らみ体形）は球の下半分の形状に近いので、ヒップ下部と対応するショーツ等の衣料のヒップ下部該当部位において、前面覆い部分（前身頃）１の前中心線Ｓ１に対して背面覆い部分（後身頃）の後中心線Ｓ２が下方広がりの状態ではヒップ下部へのフィット性に欠け、このため、直立姿勢から椅子に座る姿勢や腰を曲げたり、屈む姿勢等に変えたりしたときにヒップ裾ライン（足口内周のほぼ後ろ半分）がずり上がり、また直立姿勢時にショーツ等の衣料のヒップ下部や臀溝部に相当する個所に弛み皺やだぶつきが発生しやすいという問題があった。
【０００５】
本発明は、このような問題を解決するためになされたものであり、その目的とするところは、上記のようなショーツ等の衣料においてヒップ下部へのフィット性の向上、ヒップ裾ラインのずり上がり防止の確実性を図ることのできるショーツ等の衣料を提供することにある。
【課題を解決するための手段】
【０００６】
本発明のショーツ等の衣料は、請求項１に記載のように、発明の内容を理解し易くするために図１〜３に付した符号を付けて説明すると、
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記前面覆い部分（１１）の左右両側に前記背面覆い部分（１２）の左半分および右半分が形成されて、前記背面覆い部分（１２）の左半分の左側縁と前記背面覆い部分（１２）の右半分の右側縁とを縫合することにより筒状に形成されており、
前記身頃（１４）は、前記背面覆い部分（１２）の左右方向中央部を上下方向に通る後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることに特徴を有するものである。
【０００７】
本発明のショーツ等の衣料は、請求項２に記載のように、発明の内容を理解し易くするために図１〜３に付した符号を付けて説明すると、
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する筒状の身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記背面覆い部分（１２）の左右方向中央部を上下方向に通る後中心線（Ｓ２）の箇所のほか、周方向の少なくとも一箇所（Ｓ１，Ｘ１，Ｘ２，Ｙ１，Ｙ２）においてそれぞれ縫合されており、
前記身頃（１４）は、前記背面覆い部分（１２）の後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることに特徴を有するものである。
【０００８】
また、本発明のショーツ等の衣料は、請求項３に記載のように、発明の内容を理解し易くするために図４〜６に付した符号を付けて説明すると、
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記前面覆い部分（１１）の左右両側に背面覆い部分（１２）が一体に連続して設けられて筒状に形成されており、
前記身頃（１４）は、前記背面覆い部分（１２）の左右方向中央部を上下方向に通る後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることに特徴を有するものである。
【０００９】
また、本発明のショーツ等の衣料は、請求項４に記載のように、発明の内容を理解し易くするために図９に付した符号を付けて説明すると、
下端に足繰り形成部（１５）を左右対称に上方へ向けて入り込む湾状に形成し下腹部を覆う伸縮性を有する前面覆い部分（１１）と、臀部を覆う伸縮性を有する背面覆い部分（１２）とを有する筒状の身頃（１４）と、前記前面覆い部分（１１）の下端（１６）と前記背面覆い部分（１２）の下端（１７）との間に配設され股間部を覆う身頃と一体型のまち部（１３）とを備えており、
前記身頃（１４）は、前記背面覆い部分（１２）の左右方向中央部を上下方向に通る後中心線（Ｓ２）以外の周方向の少なくとも一箇所（Ｓ１，Ｘ１，Ｘ２，Ｙ１，Ｙ２）において縫合されており、
前記身頃（１４）は、前記背面覆い部分（１２）の後中心線（Ｓ２）に沿って開いた展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることに特徴を有するものである。
【００１０】
上記構成によると、筒状に形成された身頃（１４）は、背面覆い部分（１２）の左右方向中央部を上下方向に通る後中心線（Ｓ２）に沿って開いた展開状態において、前面覆い部分（１１）の前中心線（Ｓ１）に対し、背面覆い部分（１２）の後中心線（Ｓ２）がこの後中心線（Ｓ２）の下方延長線を前中心線（Ｓ１）の下方延長線に近付ける下方窄まりの状態に設定されているので、ショーツ等の衣料のヒップ下部該当部位周りをヒップ下部体形にフィットすべく絞ることができ、ヒップ下部体形の半球形状の下半分にフィットし、つまり背面覆い部分の下部がヒップ下部の膨らみ体形にぴったり合って該下半分を絞り込むように深く包み込むことができ、また直立姿勢時にショーツ等の衣料のヒップ下部や臀溝部に相当する個所に弛み皺やだぶつきが発生することが無くなり、美しいヒップ裾ラインを出すことができる。しかも、請求項１〜４の構成の記載から明らかなとおり、身頃（１４）を筒状に形成するにあたり、縫合箇所の数、縫合位置、縫合ラインの形状などに制約がなくなって自由に選択することができるほか、縫合をなくすこともでき、身頃（１４）の外観デザインの自由度を向上させることができる。
【００１１】
請求項１記載のショーツ等の衣料は、前記後中心線（Ｓ２）と下端（１７）とが互いに交わる交点（Ｊ）と前中心線（Ｓ１）との間の寸法をＢとし、前記下端（１６）と下端（１７）との間の寸法をＣとしたとき、その比率Ｃ／Ｂを０．４〜２．５の範囲内に設定するという構成を採用することができる。比率Ｃ／Ｂが０．４未満ではヒップの包む面積が小さくなり過ぎ、比率Ｃ／Ｂが２．５を超えるとヒップの包み込み面積が大きくなり過ぎるし、また足回りを希望の寸法に設定できなくなって効果を損ねる。なお、より好ましい範囲の方向としては、比率Ｃ／Ｂを０．８〜１．５の範囲内に設定すればよい。
【００１２】
また、足繰り形成部（１５）の内周上のほぼ後ろ半分のヒップ裾ライン（１５ａ）の前中心線（Ｓ１）に最も近い箇所と前中心線（Ｓ１）との間の寸法をＡとし、前記後中心線（Ｓ２）と下端（１７）とが互いに交わる交点（Ｊ）と前中心線（Ｓ１）との間の寸法をＢとしたとき、その比率Ｂ／Ａを１．６〜６の範囲内に設定するという構成を採用することができる。比率Ｂ／Ａが１．６未満ではヒップの包む面積が小さくなり過ぎ、不安定になり、比率Ｂ／Ａが６を超えると下方窄まりが緩慢になり、立体感が出にくくなる。なお、より好ましい範囲の方向としては、比率Ｂ／Ａを２〜４の範囲内に設定すればよい。
【発明の効果】
【００１３】
本発明によれば、ショーツ等の衣料のヒップ下部該当部位周りをヒップ下部体形にフィットすべく絞ることができるので、ヒップ下部体形の半球形状の下半分を深く立体的に包み込むことができ、ヒップ下部へのフィット性に優れ、従いヒップ裾ラインのずり上がりを確実に防止できるとともに、直立姿勢時にショーツ等の衣料のヒップ下部や臀溝部に相当する個所に弛み皺やだぶつきが発生することが無くなり、美しいヒップ裾ラインを出すことができて有利である。しかも、身頃を筒状に形成するにあたり、縫合箇所の数、縫合位置、縫合ラインの形状などに制約がなくなって身頃（１４）の外観デザインの自由度を向上させることができる。
【図面の簡単な説明】
【００１４】
【図１】本発明の一実施例を示すショーツの正面図である。
【図２】同ショーツの背面図である。
【図３】同ショーツの身頃及びまち部の展開平面図である。
【図４】本発明の他の実施例を示し、背面覆い部分１２の後中心線Ｓ２に沿って開いた身頃及びまち部の展開平面図である。
【図５】図４のパンツの正面図である。
【図６】図４のパンツの後方斜視図である。
【図７】本発明のさらに他の実施例を示し、背面覆い部分１２の後中心線Ｓ２に沿って開いた身頃及びまち部の展開平面図である。
【図８】従来例のパンティの前身頃、後身頃、及びまち部の展開平面図である。
【図９】他の従来例のショーツの前身頃、後身頃、及びまち部の展開平面図である。
【図１０】更に他の従来例のショーツの前身頃、後身頃、及びまち部の展開平面図である。
【図１１】更に又、他の従来例のショーツの前身頃に後身頃を一体に形成した身頃の展開平面図である。
【発明を実施するための形態】
【００１５】
本発明の好適な実施形態を図面に基づき説明する。
【００１６】
図１〜３において、本発明の衣料の一実施例を示すショーツ１０は、下腹部を覆う前面覆い部分１１と、この前面覆い部分１１と一体に形成され臀部を覆う背面覆い部分１２とを有する身頃１４と、前面覆い部分１１の下端１６と背面覆い部分１２の下端１７との間に配設されて股間部を覆う身頃と一体型のまち部１３とを主要構成部材としてなる。身頃１４の前面覆い部分１１及び背面覆い部分１２と、まち部１３はストレッチ生地からなる。
【００１７】
図３のように前面覆い部分１１はこれの下端１６に足繰り形成部１５を左右対称に上方へ向けて入り込む湾状に形成している。足繰り形成部１５の内周上のほぼ後ろ半分のヒップ裾ライン１５ａは前面覆い部分１１の左右方向中央部を上下方向に通る前中心線Ｓ１に向けて突出する凸形の円弧状の曲縁に形成している。
前面覆い部分１１はこれの左右両側にそれぞれ背面覆い部分１２の左半分１２ａおよび右半分１２ｂがそれぞれ一体に形成される。
【００１８】
身頃１４は、背面覆い部分１２の左右方向中央部を上下方向に通る後中心線Ｓ２に沿って開いた展開状態において、前面覆い部分１１の左右方向中央部を上下方向に通る前中心線Ｓ１に対し、背面覆い部分１２の後中心線Ｓ２がこの後中心線Ｓ２の下方延長線を前中心線Ｓ１の下方延長線に近づける下方窄まりの状態となるように設定されている。なお、背面覆い部分１２の左半分１２ａの左側縁１２ａ−１と背面覆い部１２の右半分１２ｂの右側縁１２ｂ−１とは、図３において実線で示すように背面覆い部分１２の後中心線Ｓ２と合致する直線状に形成して下窄まりにしているが、このように直線状に形成する場合に限られず、この直線状に代えて、例えば左側縁１２ａ−１のほぼ下半部分及び右側縁１２ｂ−１のほぼ下半部分はヒップ下部体形の曲線に可及的に沿うように外方凸形の緩やかな円弧状の曲縁よりなる下窄まりであってもよい。
【００１９】
このように裁断された身頃１４は、図２に示すように背面覆い部分１２の左半分１２ａの左側縁１２ａ−１と背面覆い部１２の右半分１２ｂの右側縁１２ｂ−１とを縫い合わせることで筒状に形成し、背面覆い部分１２の左半分１２ａ及び右半分１２ｂの各下端１７とまち部１３をつなぐことにより、図１に示すように左右の足繰り形成部１５とまち部１３の左右の端縁１８とで左右の足口１９が形成される。
【００２０】
身頃１４の前面覆い部分１１及び背面覆い部分１２のウェスト部２０，２１、および足口１９まわりにはそれぞれ、やや幅広のストレッチレース、生地、ゴム（幅の狭いタイプは効果が少ない）等の伸縮性帯状材２２を縫い付ける。
【００２１】
上記のように縫製されたショーツ１０は、身頃１４の筒状形成時、背面覆い部分１２の後中心線Ｓ２に沿って開いた展開状態で、前面覆い部分１１の前中心線Ｓ１に対し、背面覆い部分１２の後中心線Ｓ２がこの後中心線Ｓ２の下方延長線を前中心線Ｓ１の下方延長線に近付ける下方窄まりの状態に設定したので、未着用状態でヒップ部裾周りを絞るように立体的に作ることができる。したがって、着用時にはヒップ下部体形にフィットし、ヒップ裾ライン１５ａがヒップの臀溝部にフィットしてヒップ下部を深く十分に包み込むことができることになり、人が直立姿勢から椅子に座る姿勢や腰を曲げたり、屈む姿勢等に変えたりしたときに生じるヒップ裾ライン１５ａのずり上がりをよく防止できる。また、直立姿勢時にショーツ等の衣料のヒップ下部や臀溝部に相当する個所に弛み皺やだぶつきが発生することも無くなり、美しいヒップ裾ラインを出すことができる。
【００２２】
上記展開状態において、前面覆い部分１１の前中心線Ｓ１に対し、背面覆い部分１２の後中心線Ｓ２がこの後中心線Ｓ２の下方延長線を前中心線Ｓ１の下方延長線に近付ける下方窄まりの状態となるように設定されていると、ヒップ部分および足回りの寸法はバイアス方向に確保することになるが、前面覆い部分１１、背面覆い部分１２、まち部１３がストレッチ生地からなるので、着用に支障を来たすようなことはない。
【００２３】
また、図３において、Ａの寸法（ヒップ裾ライン１５ａの前中心線Ｓ１に最も近い箇所と前中心線Ｓ１との間の寸法、以下同じ）を短く、Ｃの寸法（下端１６と下端１７との間の寸法、以下同じ）を長くすることでヒップを脇から包み込む効果が得られる。Ｂの寸法（後中心線Ｓ２と内股後部１７とが互いに交わる交点Ｊと前中心線Ｓ１との間の寸法、以下同じ）はヒップの包み込み量を確保するうえでは大きいことが好ましいが、Ｂ寸法が大き過ぎると、前中心線Ｓ１に対する後中心線Ｓ２の下方窄まりの状態が少なくなり立体感が無くなる。
【００２４】
したがって、所定の足繰り寸法が決まれば、次に上記Ａ，Ｂ，Ｃの寸法も考慮して理想的なパターンを得る必要がある。
すなわち、比率Ｂ／Ａが小さいとヒップの包む面積が小さくなり過ぎ、不安定になる。逆に比率Ｂ／Ａが大き過ぎると、下方窄まりが緩慢になり、立体感が出にくくなる。したがって、比率Ｂ／Ａを１．６〜６の範囲内、より好ましくは比率Ｂ／Ａを２〜４の範囲内に設定するとよい。
また、比率Ｃ／Ｂが小さ過ぎると、比率Ｂ／Ａが小さい場合と同様にヒップの包む面積が小さくなり過ぎる。逆に比率Ｃ／Ｂが大き過ぎると、ヒップの包み込み面積が大きくなり過ぎるし、また足回りを希望の寸法に設定できなくなるので、効果を損ねる。したがって、比率Ｃ／Ｂを０．４〜２．５の範囲内、より好ましくは比率Ｃ／Ｂを０．８〜１．５の範囲内に設定するとよい。
具体的には、その一例として、寸法Ａを７ｃｍ、寸法Ｂを１８ｃｍ、寸法Ｃを２０ｃｍ、寸法Ｄ（背面覆い部分１２の左側縁１２ａ−１の最上端部と前面覆い部分１１の前中心線Ｓ１との間の寸法、背面覆い部分１２の右側縁１２ｂ−１の最上端部と前面覆い部分１１の前中心線Ｓ１との間の寸法、以下同じ）を２５ｃｍ、寸法Ｅ（足繰り形成部１５の全長寸法）＝３３ｃｍ、Ｆ（まち部１３の左端縁１８の寸法、右端縁１８の寸法）を１２ｃｍ、寸法Ｇ（まち部１３の中央部の上下寸法）を１４ｃｍに設定する。
【００２５】
なお、上記実施例において、図３に示す身頃（１４）は、前面覆い部分（１１）の左右両側に背面覆い部分（１２）の左半分および右半分が一体に形成されて、前記背面覆い部分（１２）の左半分の左側縁と前記背面覆い部分（１２）の右半分の右側縁とを縫合することにより筒状に形成したが、これに限らずに、次のように構成してもよい。
すなわち、身頃（１４）は、背面覆い部分（１２）の後中心線（Ｓ２）の箇所の縫合のほか、前面覆い部分（１１）の前中心線（Ｓ１）の箇所、あるいは図３の点線で示すように前面覆い部分（１１）の左右両側（Ｘ１，Ｘ２またはＹ１，Ｙ２）の箇所、あるいはその他の適宜の箇所で縫合する身頃であってもよい。
要するに、身頃（１４）は、背面覆い部分（１２）の後中心線（Ｓ２）の箇所のほか、周方向において少なくとも一箇所（Ｓ１，Ｘ１，Ｘ２，Ｙ１，Ｙ２  ）縫合され、かつ、背面覆い部分（１２）の後中心線（Ｓ２）に沿って開いた展開状態において、前面覆い部分（１１）の前中心線（Ｓ１）に対し、背面覆い部分（１２）の後中心線（Ｓ２）がこの後中心線（Ｓ２）の下方延長線を前中心線（Ｓ１）の下方延長線に近付ける下方窄まりの状態に設定されていればよいものである。
【００２６】
また、本発明の対象とする衣料は、図３に示す身頃（１４）に限らず、図４に示すような身頃（１４）であってもよい。
すなわち、図４に示す身頃（１４）は、前記前面覆い部分（１１）の左右両側に前記背面覆い部分（１２）が一体に設けられて図５及び図６に示すように縫合箇所のない筒状に形成する身頃であってもよい。
このような身頃（１４）であっても、図４に示すように、背面覆い部分（１２）の後中心線（Ｓ２）に沿って切り、これを開いた展開状態において、前面覆い部分（１１）の前中心線（Ｓ１）に対し、背面覆い部分（１２）の後中心線（Ｓ２）がこの後中心線（Ｓ２）の下方延長線を前中心線（Ｓ１）の下方延長線に近付ける下方窄まりの状態に設定されていれば、上記図１〜３に示すショーツと同様の作用効果が得られるものである（なお、この図５及び図６に示すパンツは、太股覆い部分２４をそれぞれ縫合させる構成のものを示している。）
【００２７】
また、上記まち部１３は、前面覆い部分１１の下端１６に連続させて一体に設ける身頃と一体型のまち部にしたが、本発明の対象とする衣料はこれに限られず、前面覆い部分１１の下端１６とは縫合として、背面覆い部分１２の下端１７に連続させて一体に設ける身頃と一体型のまち部でもよいし、まち部１３は前面覆い部分１１の下端１６と背面覆い部分１２の下端１７の双方に連続させて設ける身頃と一体型のまち部でもよいものである。
【００２８】
上記まち部１３が、前面覆い部分１１の下端１６と背面覆い部分１２の下端１７の双方に連続させて設ける身頃と一体型のまち部の場合は、図７に示すように、身頃（１４）は、前面覆い部分（１１）の前中心線（Ｓ１）の箇所においても、背面覆い部分（１２）の後中心線（Ｓ２）の箇所においても一体に形成して縫合しないようにするほうが作りやすく好ましい。そして、図７中の点線で示すように、前面覆い部分（１１）の左右両側（Ｘ１，Ｘ２）または背面覆い部分（１２）の左右両側（Ｙ１，Ｙ２）の箇所で少なくとも縫合するようにするのが好ましい。
要するに、この場合においても、身頃（１４）は、背面覆い部分（１２）の後中心線（Ｓ２）以外の周方向の箇所で縫合され、かつ、背面覆い部分（１２）の後中心線（Ｓ２）に沿って切り開いた展開状態において、前面覆い部分（１１）の前中心線（Ｓ１）に対し、背面覆い部分（１２）の後中心線（Ｓ２）がこの後中心線（Ｓ２）の下方延長線を前中心線（Ｓ１）の下方延長線に近付ける下方窄まりの状態に設定されていればよいものである。
【００２９】
また、本発明の対象とする衣料の身頃（１４）は、図１・図２・図５・図６に示すウエスト部（２０，２１）側において、身頃（１４）のだぶつきを防止してすっきりした外観デザインにするために、前記背面覆い部分（１２）の後中心線（Ｓ２）に沿って開いた展開状態において、前記後中心線（Ｓ２）の上部側を前記前中心線（Ｓ１）側に縮める形状にしてもよいものである。
【００３０】
また、本発明の対象とする衣料は、水着、レオタード、メンズ用あるいはレデイース用のタイツ、男性用のブリーフなどにも同様に適用することができ、さらにまた身頃１４にはダーツを施すようにしてもよい。
【符号の説明】
【００３１】
Ｓ１  前中心線
Ｓ２  後中心線
１０  ショーツ
１１  前面覆い部分
１２  背面覆い部分
１２ａ  左半分
１２ａ−１  左半分の左側縁
１２ｂ  右半分
１２ｂ−１  右半分の右側縁
１３  まち部
１４  身頃
１５  足繰り形成部
１５ａ  ヒップ裾ライン
１６  前面覆い部分の下端
１７  背面覆い部分の下端
【図１】
2014034754.tif 000003
【図２】
2014034754.tif 000004
【図３】
2014034754.tif 000005
【図４】
2014034754.tif 000006
【図５】
2014034754.tif 000007
【図６】
2014034754.tif 000008
【図７】
2014034754.tif 000009
【図８】
2014034754.tif 000010
【図９】
2014034754.tif 000011
【図１０】
2014034754.tif 000012
【図１１】
2014034754.tif 000013